(57)【要約】【課題】部品点数を削減してハウジング全体を小型化し、簡易な構成でハウジングを基板に仮固定する。【解決手段】本発明は、基板４０に形成されたスルーホール４１に半田付けされる基板用コネクタ１０であって、ハウジング２０と、ハウジング２０から突出しスルーホール４１に接続される基板接続部３２を有する複数の端子金具３０とを備え、複数の端子金具３０の一部は、ハウジング２０を基板４０に仮固定するための仮固定端子３０Ａとされており、この仮固定端子３０Ａの基板接続部３２Ａは、この基板接続部３２Ａと接続されるスルーホール４１の軸方向に対して斜め方向に延出されており、同基板接続部３２Ａをスルーホール４１の軸方向に沿った姿勢に弾性変形させることにより、同基板接続部３２Ａをスルーホール４１の内壁に対して弾性的に接触させる構成としたところに特徴を有する。【選択図】図４
2011228123.tif 000002
【特許請求の範囲】
【請求項１】
基板に形成されたスルーホールに半田付けされる基板用コネクタであって、
ハウジングと、
前記ハウジングから突出し前記スルーホールに接続される基板接続部を有する複数の端子金具とを備え、
前記複数の端子金具の一部は、前記ハウジングを前記基板に仮固定するための仮固定端子とされており、この仮固定端子の基板接続部は、この基板接続部と接続される前記スルーホールの軸方向に対して斜め方向に延出されており、同基板接続部を前記スルーホールの軸方向に沿った姿勢に弾性変形させることにより、同基板接続部を前記スルーホールの内壁に対して弾性的に接触させることを特徴とする基板用コネクタ。
【請求項２】
前記仮固定端子の一端側に前記基板接続部が設けられ、同他端側に相手側端子と接続される端子接続部が設けられており、前記基板接続部と前記端子接続部の間に、屈曲部が設けられていることを特徴とする請求項１に記載の基板用コネクタ。
【請求項３】
前記仮固定端子は、端子本体と、この端子本体に形成されたニッケルめっき層と、前記基板接続部における前記ニッケルめっき層に形成された錫めっき層とを備えて構成され、斜め方向に延出された前記基板接続部は、前記ニッケルめっき層に治具を当てることで前記スルーホールに挿入可能な姿勢に矯正されることを特徴とする請求項２に記載の基板用コネクタ。
【請求項４】
基板に形成されたスルーホールに接続される端子金具を有し、この端子金具の一部がハウジングを前記基板に仮固定するための仮固定端子とされている基板用コネクタの固定方法であって、
前記端子金具の先端部が前記スルーホールと整合する位置を正規の取付位置としたときに、この正規の取付位置では前記仮固定端子の先端部が前記スルーホールに対して不整合とされており、前記仮固定端子の先端部が前記スルーホールと整合するように前記仮固定端子を治具によって弾性変形させ、この仮固定端子を前記スルーホールに挿入した後に、前記治具を外して前記仮固定端子を弾性復帰させることにより、前記仮固定端子を前記スルーホールの内壁に対して弾性的に接触させることを特徴とする基板用コネクタの固定方法。
【発明の詳細な説明】
【技術分野】
【０００１】
本発明は、基板用コネクタおよび基板用コネクタの固定方法に関する。
【背景技術】
【０００２】
従来、基板用コネクタとして、例えば下記特許文献１に記載の基板用コネクタが知られている。この基板用コネクタは、基板に取り付けられるハウジングと、ハウジングに横並びで装着された複数の端子金具とを備えて構成されている。
【０００３】
基板用コネクタを基板に取り付ける際には、まず端子金具を基板のスルーホールに挿通し、ハウジングを基板の載置面に載置する。その後、端子金具をスルーホールに対して半田付けする。ここで、半田が完全に固化すれば基板用コネクタを基板に固定する力が得られるのであるが、半田付けを行う作業時や半田が固化するまでの間に、ハウジングに対して基板から離れる方向に力が加わると、端子金具がスルーホールから抜けてしまう。したがって、端子金具をスルーホールに挿通した後から半田が固化するまでの間、ハウジングを基板に仮固定しておく必要がある。そこで、特許文献１に開示の構成では、ハウジングに設けられたねじ固定部にねじを挿通して基板にねじ止めすることで、ハウジングを基板に仮固定するものとされている。
【先行技術文献】
【特許文献】
【０００４】
【特許文献１】特開平６−２０３８９６号公報
【発明の概要】
【発明が解決しようとする課題】
【０００５】
しかしながら、上記の構成では、ハウジングにねじ固定部を設ける必要があるため、ハウジング全体が大型化する。また、ねじ止め作業を行うと、その分だけ作業工程が増えることになる。さらに、ねじなどの固定部品が必要になり、部品点数が増加する。
【０００６】
本発明は上記のような事情に基づいて完成されたものであって、部品点数を削減してハウジング全体を小型化し、簡易な構成でハウジングを基板に仮固定することを目的とする。
【課題を解決するための手段】
【０００７】
本発明は、基板に形成されたスルーホールに半田付けされる基板用コネクタであって、ハウジングと、ハウジングから突出しスルーホールに接続される基板接続部を有する複数の端子金具とを備え、複数の端子金具の一部は、ハウジングを基板に仮固定するための仮固定端子とされており、この仮固定端子の基板接続部は、この基板接続部と接続されるスルーホールの軸方向に対して斜め方向に延出されており、同基板接続部をスルーホールの軸方向に沿った姿勢に弾性変形させることにより、同基板接続部をスルーホールの内壁に対して弾性的に接触させる構成としたところに特徴を有する。
【０００８】
このような構成によると、仮固定端子の基板接続部をスルーホールの内壁に対して弾性的に接触させることで、基板接続部とスルーホールの内壁との接触部分で摩擦力を生じさせることができる。したがって、ハウジングが基板から離れる方向に移動しようとすると、摩擦力が発生し、基板接続部がスルーホールから外れることを規制してハウジングを基板に対して仮固定することができる。この後、基板接続部をスルーホールに半田付けすることで、端子金具がスルーホールに対して導通可能に接続され、基板用コネクタを基板に対して本固定することができる。
【０００９】
すなわち、基板接続部をスルーホールに半田付けする前の仮固定方法として、ねじ止めが不要になり、あるいは、ねじ止めの代替として樹脂クリップや金属クリップなどによる固定も不要になる。このように、ハウジングを基板に仮固定する方法として、ねじやクリップなどの部品が不要になり、部品点数を削減することができる。また、ハウジングにねじ固定部やクリップ固定部などを設ける必要がないため、ハウジングを小型化できる。
【００１０】
さらに、上記の構成によると、仮固定端子の基板接続部をスルーホールの軸方向に対して斜め方向に延出するだけでよい。したがって、例えば、基板接続部がスルーホールの軸方向に対して斜め方向を向くように曲げ形成するだけでよく、仮固定端子を簡易に形成することができる。
【００１１】
本発明の実施の態様として、以下の構成が好ましい。
仮固定端子の一端側に基板接続部が設けられ、同他端側に相手側端子と接続される端子接続部が設けられており、基板接続部と端子接続部の間に、屈曲部が設けられている構成としてもよい。
このような構成によると、屈曲部の曲げ角度に応じた摩擦力を設定することができる。
【００１２】
仮固定端子は、端子本体と、この端子本体に形成されたニッケルめっき層と、基板接続部におけるニッケルめっき層に形成された錫めっき層とを備えて構成され、斜め方向に延出された基板接続部は、ニッケルめっき層に治具を当てることでスルーホールに挿入可能な姿勢に矯正される構成としてもよい。
このような構成によると、ニッケルめっき層に治具を当てるようにしたから、錫めっき層が治具によって損傷することを規制できる。
【００１３】
また、本発明は、基板に形成されたスルーホールに接続される端子金具を有し、この端子金具の一部がハウジングを基板に仮固定するための仮固定端子とされている基板用コネクタの固定方法であって、端子金具の先端部がスルーホールと整合する位置を正規の取付位置としたときに、この正規の取付位置では仮固定端子の先端部がスルーホールに対して不整合とされており、仮固定端子の先端部がスルーホールと整合するように仮固定端子を治具によって弾性変形させ、この仮固定端子をスルーホールに挿入した後に、治具を外して仮固定端子を弾性復帰させることにより、仮固定端子をスルーホールの内壁に対して弾性的に接触させるようにしてもよい。
このようにすると、仮固定端子を治具で弾性変形させながら、端子金具をスルーホールに挿入すればよい。この後、治具を仮固定端子から外すと、仮固定端子が弾性復帰し、スルーホールの内壁に対して弾性的に接触することになる。
【発明の効果】
【００１４】
本発明によれば、部品点数を削減してハウジング全体を小型化し、簡易な構成でハウジングを基板に仮固定することができる。
【図面の簡単な説明】
【００１５】
【図１】実施形態１における基板用コネクタの背面図
【図２】基板用コネクタの平面図
【図３】基板用コネクタの側面図
【図４】基板接続部を治具により矯正する前の状態を示す断面図
【図５】基板接続部を治具により矯正して基板接続部をスルーホールに挿通する前の状態を示す断面図
【図６】基板接続部をスルーホールに挿通して治具を外した後の状態を示す断面図
【図７】実施形態２における基板用コネクタの平面図
【図８】実施形態３における基板用コネクタの側面図
【図９】実施形態４における基板用コネクタの側面図
【図１０】実施形態５における基板用コネクタの側面図
【図１１】実施形態６における基板用コネクタの側面図
【発明を実施するための形態】
【００１６】
＜実施形態１＞
本発明の実施形態１を図１ないし図６の図面を参照しながら説明する。本実施形態における基板用コネクタ１０は、図１ないし図３に示すように、合成樹脂製のハウジング２０と、ハウジング２０に装着された複数の端子金具３０とを備えて構成されている。この基板用コネクタ１０は、基板４０に貫通形成されたスルーホール４１に端子金具３０が半田付けされることで、端子金具３０と基板４０のスルーホール４１が導通可能に接続されるとともに、ハウジング２０が基板４０に本固定されるようになっている。
【００１７】
ハウジング２０は前方に開口するフード状をなしており、ハウジング２０の後端側に形成された奥壁２１には、複数の端子金具３０が貫通状態で圧入、保持されている。この端子金具３０は、図３に示すように、ハウジング２０の内部から奥壁２１を貫通して後方に突出した後、略直角に折れ曲がり、下方に延出されている。なお、本実施形態において前後方向とはハウジング２０と相手側ハウジング（図示せず）との嵌合方向を基準として、互いの嵌合面側を前側とする。
【００１８】
端子金具３０は、図３に示すように、全体として略Ｌ字状をなし、銅または銅合金製の細長い棒材に曲げ加工などを行うことで形成されている。この端子金具３０は、ハウジング２０の奥壁２１において上下２段で横並びに複数配置されている。複数の端子金具３０は、上列の一番端の１つの端子金具３０Ａ（図１において最も左側に配置された端子金具、図２において最も上側に配置された端子金具、以下「仮固定端子３０Ａ」という）を除いて全て同一の形状とされている。
【００１９】
端子金具３０の一端側には、相手側端子（図示せず）と接続される端子接続部３１（図３参照）が形成され、同他端側には、スルーホール４１と接続される基板接続部３２が形成されている。端子金具３０は、銅または銅合金製からなる端子本体の全面にニッケルめっき層を形成し、このニッケルめっき層のうち基板接続部３２と対応する部分に錫めっき層を形成したものである。この錫めっき層がスルーホール４１に対して半田付けされることにより、端子金具３０と基板４０が導通可能に接続される。
【００２０】
また、端子金具３０において略直角に折れ曲がった部分は、屈曲部３３とされている。基板接続部３２の延出方向は、スルーホール４１の軸方向と一致している。したがって、正規の取付位置にハウジング２０が配置されると、基板接続部３２の先端部がスルーホール４１に整合することになる。
【００２１】
つまり、基板接続部３２は、基板４０の載置面（上面）に略直交する方向に延びており、スルーホール４１は、基板４０の載置面に略直交する方向に貫通する形態とされている。すなわち、基板接続部３２は、スルーホール４１の軸方向に沿って延びている。このため、端子金具３０は、スルーホール４１に挿通された後、スルーホール４１の内壁および両端部のランド（図示せず）に対して半田付けされることで基板４０と導通可能に接続される。
【００２２】
さて、上述した仮固定端子３０Ａは、図３に示すように、ハウジング２０の奥壁２１に対して略直交する方向（基板４０の載置面に平行となる方向）に直線状に突出した後、９０度よりも小さい角度で下方に折り曲げられた屈曲部３３Ａを介してハウジング２０から遠ざかる方向（後方）に直線状に延びる構成である。したがって、仮固定端子３０Ａの基板接続部（スルーホール４１と接続される部分）３２Ａは、スルーホール４１の軸方向に対して斜め方向に延出されている。なお、仮固定端子３０Ａは、外圧を加えることにより、屈曲部３３Ａの曲げ角度が少なくとも約９０度（仮固定端子３０Ａの基板接続部３２Ａがスルーホール４１の軸方向に沿った姿勢）となるまで弾性変形可能となっている。
【００２３】
仮固定端子３０Ａがスルーホール４１に挿通された状態を図６に示す。仮固定端子３０Ａの基板接続部３２Ａは、スルーホール４１の軸方向に対して斜め方向に延びているため、基板接続部３２Ａをスルーホール４１に挿通すると、屈曲部３３Ａ付近で生じるばね力によって基板接続部３２Ａがスルーホール４１の内壁に対して弾性的に接触することとなる。このため、基板接続部３２Ａとスルーホール４１の内壁との接触部分で摩擦力を生じさせることができる。基板接続部３２Ａがスルーホール４１から引き抜かれる方向に力を受けると、基板接続部３２Ａとスルーホール４１の内壁との接触部分で摩擦力が発生し、この摩擦力によって基板接続部３２Ａがスルーホール４１に保持され、ハウジング２０が基板４０の載置面に仮固定される。仮固定端子３０Ａは、端子金具３０と同様に、スルーホール４１に挿通された後、スルーホール４１の内壁およびランドに対して半田付けされる。
【００２４】
仮固定端子３０Ａは、図４に示すように、端子金具３０と同じ構成のめっき層を有している。具体的には、仮固定端子３０Ａは、銅または銅合金製の端子本体３４Ａと、端子本体３４Ａの全体を覆うようにして形成されたニッケルめっき層３５Ａと、このニッケルめっき層３５Ａのうち基板接続部３２Ａと対応する部分に形成された錫めっき層３６Ａとを備えて構成されている。すなわち、仮固定端子３０Ａのうち基板接続部３２Ａを除く部分には錫めっき層３６Ａが形成されていない。
【００２５】
次に、基板用コネクタ１０の基板４０への実装方法について図４ないし図６を用いて説明する。まず、ハウジング２０を正規の取付位置に配置すると、図４に示すように、仮固定端子３０Ａ以外の端子金具３０の基板接続部３２がスルーホール４１の上方に配置され、仮固定端子３０Ａについては屈曲部３３Ａがスルーホール４１の上方に配置される。このとき、仮固定端子３０Ａの基板接続部３２Ａの先端部は、スルーホール４１と不整合となっている。
【００２６】
次に、仮固定端子３０Ａを弾性変形させるための治具Ｊを用意する。治具Ｊは金属材料で構成されていてもよく、あるいは合成樹脂材料で構成されていてもよい。治具Ｊを仮固定端子３０Ａの屈曲部３３Ａの下方（錫めっき層３６Ａが形成されていない部分）に接触させ、屈曲部３３Ａの曲げ角度が大きくなる方向（図４の矢印方向）に押し込む。すると、図５に示すように、屈曲部３３Ａは、治具Ｊの押圧力により弾性変形して約９０度に折れ曲がる。その結果、仮固定端子３０Ａの基板接続部３２Ａはスルーホール４１の軸方向に沿った姿勢に矯正される。この姿勢では、基板接続部３２Ａの先端部がスルーホール４１と整合している。この姿勢を保持しつつ、ハウジング２０を基板４０側に移動させると、仮固定端子３０Ａをスルーホール４１に挿通することができる。
【００２７】
ここで、仮固定端子３０Ａのうち治具Ｊが当接する部位には錫めっき層３６Ａが形成されていない。換言すると、錫めっき層３６Ａは、仮固定端子３０Ａのうち治具Ｊが当接する部位より先端側に形成されている。したがって、治具Ｊは、錫めっき層３６Ａではなくニッケルめっき層３５Ａに直接接触することとなる。このため、錫めっき層３６Ａが治具Ｊによって損傷するなどのおそれはない。
【００２８】
そして、治具Ｊを仮固定端子３０Ａから外すと、図６に示すように、仮固定端子３０Ａの基板接続部３２Ａは弾性復帰してスルーホール４１の内壁に対して弾性的に接触する。この状態においてハウジング２０が基板４０から離れる方向に力を受けると、基板接続部３２Ａとスルーホール４１の内壁との接触部分で摩擦力が発生し、仮固定端子３０Ａがスルーホール４１から外れることが規制され、基板用コネクタ１０が基板４０に仮固定される。
【００２９】
さらに、仮固定端子３０Ａがスルーホール４１の内壁に対して弾性的に接触すると、仮固定端子３０Ａ以外の端子金具３０についてもスルーホール４１の内壁に対して弾性的に接触することになる。したがって、仮固定端子３０Ａ以外の端子金具３０とスルーホール４１の内壁との接触部分でも摩擦力を生じさせることになる。この後、仮固定端子３０Ａを含む端子金具３０をスルーホール４１の内壁およびランドに半田付けすることにより、仮固定端子３０Ａを含む端子金具３０の全体がスルーホール４１に対して導通可能に接続される。これにより、ハウジング２０が基板４０に本固定され、基板用コネクタ１０の基板４０への実装が完了する。
【００３０】
以上のように本実施形態では、仮固定端子３０Ａの基板接続部３２Ａをスルーホール４１の軸方向に対して斜め方向に延出して形成したから、基板接続部３２Ａをスルーホール４１の軸方向に沿った姿勢に弾性変形させつつ、スルーホール４１に挿入することにより、基板接続部３２Ａをスルーホール４１の内壁に対して弾性的に接触させることができる。これにより、仮固定端子３０Ａが基板４０から離れる方向に移動しようとした場合に、基板接続部３２Ａとスルーホール４１の内壁との接触部分で摩擦力が発生し、仮固定端子３０Ａがスルーホール４１に対して抜け止め状態に保持され、ハウジング２０が基板４０に仮固定される。
【００３１】
このように、仮固定端子３０Ａの基板接続部３２Ａを屈曲部３３Ａで曲げ形成するだけでよく、簡易な構成でハウジング２０の仮固定が可能である。また、ねじ、樹脂クリップ、金属クリップなどの固定部品が不要になるから、部品点数を削減することができる。さらに、ねじ止めなどの作業が不要になるから、ハウジング２０の仮固定を簡易に行うことができる。
【００３２】
また、屈曲部３３Ａの曲げ角度を調整することにより、基板接続部３２Ａとスルーホール４１の内壁との接触部分で生じる摩擦力を設定することができる。さらに、治具Ｊをニッケルめっき層３５Ａに接触させて仮固定端子３０Ａの姿勢を矯正するようにしたから、錫めっき層３６Ａが治具Ｊによって損傷することを規制しつつも、錫めっき層３６Ａをスルーホール４１の内壁およびランドに対して確実に半田付けすることができる。
【００３３】
＜実施形態２＞
次に、本発明の実施形態２について図７の図面を参照しながら説明する。本実施形態の基板用コネクタ１１は、実施形態１の基板用コネクタ１０の仮固定端子３０Ａの構成を一部変更したものであって、その他の共通する構成、作用、および効果については重複するため、その説明を省略する。また、実施形態１の仮固定端子３０Ａと対応する構成については、十の位を３から５に変更した符号を用いるものとする。
【００３４】
基板用コネクタ１１の仮固定端子５０Ａは、屈曲部５３Ａよりも先端部分が斜め後方（図７における図示左上方向）でかつ下方に向けて延出されている。すなわち、仮固定端子５０Ａの基板接続部５２Ａは、スルーホール４１の軸方向に対して斜め方向に延出されている。このため、仮固定端子５０Ａを弾性変形させてスルーホール４１に挿通すると、基板接続部５２Ａがスルーホール４１の内壁に対して弾性的に接触する。これにより、基板接続部５２Ａがスルーホール４１に対して抜け止め状態に保持される。
【００３５】
＜実施形態３＞
次に、本発明の実施形態３について図８の図面を参照しながら説明する。本実施形態の基板用コネクタ１２は、実施形態２の基板用コネクタ１１と同様に、実施形態１の基板用コネクタ１０の仮固定端子３０Ａの構成を一部変更したものであって、その他の共通する構成、作用、および効果については重複するため、その説明を省略する。また、実施形態１の仮固定端子３０Ａと対応する構成については、十の位を３から６に変更した符号を用いるものとする。
【００３６】
基板用コネクタ１２の仮固定端子６０Ａは、屈曲部６３Ａよりも先端部分が前方（図８における図示左方向）でかつ下方に向けて延出されている。すなわち、仮固定端子６０Ａの基板接続部６２Ａは、スルーホール４１の軸方向に対して斜め方向に延出されている。このような構成においても、仮固定端子６０Ａを弾性変形させてスルーホール４１に挿通すると、基板接続部６２Ａがスルーホール４１の内壁に対して弾性的に接触する。これにより、基板接続部６２Ａがスルーホール４１に対して抜け止め状態に保持される。
【００３７】
＜実施形態４＞
次に、本発明の実施形態４について図９の図面を参照しながら説明する。本実施形態の基板用コネクタ１３は、実施形態２の基板用コネクタ１１と同様に、実施形態１の基板用コネクタ１０の仮固定端子３０Ａの構成を一部変更したものであって、その他の共通する構成、作用、および効果については重複するため、その説明を省略する。また、実施形態１の仮固定端子３０Ａと対応する構成については、十の位を３から７に変更した符号を用いるものとする。
【００３８】
基板用コネクタ１３の仮固定端子７０Ａは、屈曲部７３Ａよりも先端部分のうち基板接続部７２Ａのみが前方（図９における図示左方向）でかつ下方に向けて延出されている。すなわち、仮固定端子７０Ａの基板接続部７２Ａは、スルーホール４１の軸方向に対して斜め方向に延出されている。このような構成においても、仮固定端子７０Ａを弾性変形させてスルーホール４１に挿通すると、基板接続部７２Ａがスルーホール４１の内壁に対して弾性的に接触する。これにより、基板接続部７２Ａがスルーホール４１に対して抜け止め状態に保持される。
【００３９】
＜実施形態５＞
次に、本発明の実施形態５について図１０の図面を参照しながら説明する。本実施形態の基板用コネクタ１４は、実施形態２の基板用コネクタ１１と同様に、実施形態１の基板用コネクタ１０の仮固定端子３０Ａの構成を一部変更したものであって、その他の共通する構成、作用、および効果については重複するため、その説明を省略する。また、実施形態１の仮固定端子３０Ａと対応する構成については、十の位を３から８に変更した符号を用いるものとする。
【００４０】
基板用コネクタ１４の仮固定端子８０Ａは、屈曲部８３Ａよりも先端部分のうち基板接続部８２Ａのみが後方（図１０における図示右方向）でかつ下方に向けて延出されている。すなわち、仮固定端子８０Ａの基板接続部８２Ａは、スルーホール４１の軸方向に対して斜め方向に延出されている。このような構成においても、仮固定端子８０Ａを弾性変形させてスルーホール４１に挿通すると、基板接続部８２Ａがスルーホール４１の内壁に対して弾性的に接触する。これにより、基板接続部８２Ａがスルーホール４１に対して抜け止め状態に保持される。
【００４１】
＜実施形態６＞
次に、本発明の実施形態６について図１１の図面を参照しながら説明する。本実施形態の基板用コネクタ１５は、実施形態２の基板用コネクタ１１と同様に、実施形態１の基板用コネクタ１０の仮固定端子３０Ａの構成を一部変更したものであって、その他の共通する構成、作用、および効果については重複するため、その説明を省略する。また、実施形態１の仮固定端子３０Ａと対応する構成については、十の位を３から９に変更した符号を用いるものとする。
【００４２】
基板用コネクタ１５の仮固定端子９０Ａは、ハウジング２０の下面（基板４０の載置面に対する設置面）に対して斜め下方に延出されている。すなわち、仮固定端子９０Ａの基板接続部９２Ａは、スルーホール４１の軸方向に対して斜め方向に延出されている。一方、仮固定端子９０Ａ以外の端子金具９０は、ハウジング２０の下面に対して直交する方向に延出されている。このような構成においても、仮固定端子９０Ａを弾性変形させてスルーホール４１に挿通すると、基板接続部９２Ａがスルーホール４１の内壁に対して弾性的に接触する。これにより、基板接続部９２Ａがスルーホール４１に対して抜け止め状態に保持される。
【００４３】
＜他の実施形態＞
本発明は上記記述及び図面によって説明した実施形態に限定されるものではなく、例えば次のような実施形態も本発明の技術的範囲に含まれる。
（１）上記実施形態では、複数の端子金具のうち、最も外側に配置された端子金具が仮固定端子とされているものの、本発明によると、仮固定端子の配置は問わない。
（２）上記実施形態では、複数の端子金具のうち１つの端子金具のみが仮固定端子とされているものの、本発明によると、２つ以上の端子金具を仮固定端子としてもよい。このように、仮固定端子の数、延出方向などを変更することによりハウジングを基板に仮固定する保持力を調整することができる。なお、複数の仮固定端子を設置する場合には、ハウジングを基板に対してバランス良く保持するため、複数の仮固定端子をそれぞれ異なる方向に延出させることが好ましい。
【００４４】
（３）上記実施形態では、１つの屈曲部を有する仮固定端子を例示しているものの、本発明によると、屈曲部の数は任意であり２つ以上としてもよい。
（４）上記実施形態の仮固定端子の形状に限らず、任意の形状の仮固定端子を採用することができる。
（５）上記実施形態では、仮固定端子の先端部に錫めっき層が形成された構成としているものの、本発明によると、仮固定端子の全面に錫めっき層を形成してもよい。
（６）上記実施形態では、めっき材料としてニッケルと錫を採用しているものの、本発明によると、これら以外にも任意のめっき材料を採用することができる。
【符号の説明】
【００４５】
１０，１１，１２，１３，１４，１５…基板用コネクタ
２０…ハウジング
３０…端子金具
３０Ａ，５０Ａ，６０Ａ，７０Ａ，８０Ａ，９０Ａ…仮固定端子
３２Ａ，５２Ａ，６２Ａ，７２Ａ，８２Ａ，９２Ａ…基板接続部
３３Ａ，５３Ａ，６３Ａ，７３Ａ，８３Ａ，９３Ａ…屈曲部
３４Ａ…端子本体
３５Ａ…ニッケルめっき層
３６Ａ…錫めっき層
４０…基板
４１…スルーホール
Ｊ…治具
【図１】
2011228123.tif 000003
【図２】
2011228123.tif 000004
【図３】
2011228123.tif 000005
【図４】
2011228123.tif 000006
【図５】
2011228123.tif 000007
【図６】
2011228123.tif 000008
【図７】
2011228123.tif 000009
【図８】
2011228123.tif 000010
【図９】
2011228123.tif 000011
【図１０】
2011228123.tif 000012
【図１１】
2011228123.tif 000013